(57)【要約】【課題】包装用フィルム及びカバーフィルムがそれぞれ不透明材料により形成され、収容されている錠剤が視認不能であっても、取り出された錠剤と収容されている錠剤とが一致しているか否かを容易に確認可能とする。【解決手段】ＰＴＰシート１は、不透明材料からなり、錠剤５が収容されるポケット部２を有する包装用フィルム３と、不透明材料からなり、ポケット部２を塞ぐように包装用フィルム３に取着されたカバーフィルム４とを備える。また、ＰＴＰシート１には、錠剤５の外観を示す写真、及び、絵のうちの少なくとも一方が印刷されてなる錠剤表示部１１が設けられる。【選択図】      図２
2013049453.tif 000002
【特許請求の範囲】
【請求項１】
不透明材料からなり、錠剤が収容されるポケット部を有する包装用フィルムと、
不透明材料からなり、前記ポケット部を塞ぐように前記包装用フィルムに取着されたカバーフィルムと
を備えるＰＴＰシートであって、
前記錠剤の外観を示す写真、及び、絵のうちの少なくとも一方が印刷されてなる錠剤表示部を備えることを特徴とするＰＴＰシート。
【請求項２】
前記錠剤表示部は、
前記錠剤をその表側から視認したときにおける前記錠剤の外観を示す写真、及び、絵のうちの少なくとも一方が印刷されてなる表側表示部と、
前記錠剤をその裏側から視認したときにおける前記錠剤の外観を示す写真、及び、絵のうちの少なくとも一方が印刷されてなる裏側表示部と
を備えることを特徴とする請求項１に記載のＰＴＰシート。
【請求項３】
前記錠剤表示部において示される前記錠剤の大きさが、前記ＰＴＰシートに収容される前記錠剤の大きさと同一とされることを特徴とする請求項１又は２に記載のＰＴＰシート。
【請求項４】
前記錠剤表示部において示される前記錠剤の色が、前記ＰＴＰシートに収容される前記錠剤の色と同一とされることを特徴とする請求項１乃至３のいずれか１項に記載のＰＴＰシート。
【請求項５】
前記錠剤表示部は、前記包装用フィルムに設けられることを特徴とする請求項１乃至４のいずれか１項に記載のＰＴＰシート。
【請求項６】
前記錠剤表示部は、前記ポケット部に対応して設けられていることを特徴とする請求項１乃至５のいずれか１項に記載のＰＴＰシート。
【請求項７】
前記錠剤表示部は、前記カバーフィルムのうち前記ポケット部を塞ぐ部位以外の部位に設けられることを特徴とする請求項１乃至６のいずれか１項に記載のＰＴＰシート。
【請求項８】
所定のポケット部単位のシート小片に切離し可能とするミシン目を有し、
前記錠剤表示部は、前記ミシン目からオフセットした位置に、前記シート小片ごとに設けられることを特徴とする請求項１乃至７のいずれか１項に記載のＰＴＰシート。
【請求項９】
不透明材料からなり、錠剤が収容されるポケット部を有する包装用フィルムと、
不透明材料からなり、前記ポケット部を塞ぐように前記包装用フィルムに取着されたカバーフィルムと、
前記カバーフィルムに設けられ、前記錠剤の外観を示す写真、及び、絵のうちの少なくとも一方が印刷されてなる錠剤表示部とを備えるＰＴＰシートの製造装置であって、
帯状の前記包装用フィルムに前記ポケット部を形成するポケット部形成手段と、
前記ポケット部に前記錠剤を投入する投入手段と、
前記ポケット部へと前記錠剤が投入された前記包装用フィルムに対し、前記ポケット部を塞ぐように前記カバーフィルムを取着する取着手段と、
前記包装用フィルムに対する前記カバーフィルムの取着前に、前記カバーフィルムに前記錠剤表示部を設ける印刷手段と
を具備することを特徴とするＰＴＰシートの製造装置。
【請求項１０】
不透明材料からなり、錠剤が収容されるポケット部を有する包装用フィルムと、
不透明材料からなり、前記ポケット部を塞ぐように前記包装用フィルムに取着されたカバーフィルムと、
前記包装用フィルムに設けられ、前記錠剤の外観を示す写真、及び、絵のうちの少なくとも一方が印刷されてなる錠剤表示部とを備えるＰＴＰシートの製造装置であって、
帯状の前記包装用フィルムに前記ポケット部を形成するポケット部形成手段と、
前記ポケット部に前記錠剤を投入する投入手段と、
前記ポケット部へと前記錠剤が投入された前記包装用フィルムに対し、前記ポケット部を塞ぐように前記カバーフィルムを取着する取着手段と、
前記ポケット部形成手段による前記ポケット部の形成前に、前記包装用フィルムに前記錠剤表示部を設ける印刷手段と
を具備することを特徴とするＰＴＰシートの製造装置。
【請求項１１】
不透明材料からなり、錠剤が収容されるポケット部を有する包装用フィルムと、
不透明材料からなり、前記ポケット部を塞ぐように前記包装用フィルムに取着されたカバーフィルムと、
前記包装用フィルムに設けられ、前記錠剤の外観を示す写真、及び、絵のうちの少なくとも一方が印刷されてなる錠剤表示部とを備えるＰＴＰシートの製造装置であって、
帯状の前記包装用フィルムに前記ポケット部を形成するポケット部形成手段と、
前記ポケット部に前記錠剤を投入する投入手段と、
前記ポケット部へと前記錠剤が投入された前記包装用フィルムに対し、前記ポケット部を塞ぐように前記カバーフィルムを取着する取着手段と、
前記カバーフィルムが取着された前記包装用フィルムを、ＰＴＰシート単位に打抜く打抜き手段と、
前記取着手段による前記カバーフィルムの取着後、前記打抜き手段による前記包装用フィルムの打抜き前に、前記包装用フィルムに前記錠剤表示部を設ける印刷手段と
を具備することを特徴とするＰＴＰシートの製造装置。
【発明の詳細な説明】
【技術分野】
【０００１】
本発明は、錠剤を包装するためのブリスタ包装用シート（以下、「ＰＴＰシート」という）及びその製造装置に関する。
【背景技術】
【０００２】
ＰＴＰシートは、錠剤を収容するためのポケット部が形成された包装用フィルムと、ポケット部の開口側を密封するように包装用フィルムに取着されるカバーフィルムとから構成されている。また、一般に包装用フィルムは透明な樹脂等によって形成され、カバーフィルムはアルミニウム等の不透明材料で形成される。さらに近年では、遮光性や防湿性の向上を図るという観点から、包装用フィルムをアルミニウム等の不透明材料によって形成する技術が提案されている（例えば、特許文献１参照）。
【０００３】
ところで、上記のように包装用フィルム及びカバーフィルムの双方が不透明材料により形成されたＰＴＰシートにおいては、その内部に収容された錠剤を視認することができない。そのため、複数のＰＴＰシートからそれぞれ錠剤を取り出した後に、ある錠剤がどのＰＴＰシートから取り出されたものであるかを確認することができないおそれがある。
【０００４】
例えば、２種類の錠剤ａ，ｂを異なる個数ずつ（例えば、ａを１個、ｂを２個）服用するような場合、錠剤ａが収容され内部が視認不能なＰＴＰシートＡ、及び、錠剤ｂが収容され内部が視認不能なＰＴＰシートＢから、錠剤を服用する者等が、必要な個数ずつ（例えば、一方のＰＴＰシートから１個、他方のＰＴＰシートから２個）錠剤を取り出したとする。ここで、包装用フィルムが透明材料により形成されること等により、ＰＴＰシート内の錠剤が視認可能であれば、取り出された錠剤が、どちらのＰＴＰシートから取り出されたものであるか、つまり、錠剤ａ，ｂのどちらであるのかを確認することができる。しかしながら、錠剤を視認不能なＰＴＰシートにおいては、取り出された錠剤がどちらのＰＴＰシートから取り出されたものであるかを確認することができない。すなわち、取り出された２個の錠剤が錠剤ａであることを確認することはできず、取り出された１個の錠剤が錠剤ｂであることを確認することはできない。そのため、本来服用すべき錠剤と異なる錠剤を誤って服用してしまうなどの事態が発生してしまうおそれがある。
【０００５】
そこで、ＰＴＰシートに、錠剤の種類などを示す文字表示を設けることで、取り出された錠剤と、ＰＴＰシートに収容されている錠剤とが一致しているか否かを確認可能とすることが考えられる（例えば、特許文献２等参照）。
【先行技術文献】
【特許文献】
【０００６】
【特許文献１】特開２００７−１１８９７８号公報
【特許文献２】特開２００７−２２３６２５号公報
【発明の概要】
【発明が解決しようとする課題】
【０００７】
しかしながら、ＰＴＰシートに表される文字表示は、錠剤の名称等であり、錠剤に関する知識等に乏しい者では、取り出された錠剤と、ＰＴＰシートに収容されている錠剤とが一致しているか否かを確認することは難しい。
【０００８】
本発明は、上記事情を鑑みてなされたものであり、その目的は、包装用フィルム及びカバーフィルムがそれぞれ不透明材料により形成され、収容されている錠剤が視認不能であっても、取り出された錠剤と収容されている錠剤とが一致しているか否かを容易に確認することができるＰＴＰシート及びその製造方法を提供することにある。
【課題を解決するための手段】
【０００９】
以下、上記目的を解決するのに適した各手段につき、項分けして説明する。なお、必要に応じて対応する手段に特有の作用効果を付記する。
【００１０】
手段１．不透明材料からなり、錠剤が収容されるポケット部を有する包装用フィルムと、
不透明材料からなり、前記ポケット部を塞ぐように前記包装用フィルムに取着されたカバーフィルムと
を備えるＰＴＰシートであって、
前記錠剤の外観を示す写真、及び、絵のうちの少なくとも一方が印刷されてなる錠剤表示部を備えることを特徴とするＰＴＰシート。
【００１１】
上記手段１によれば、包装用フィルム及びカバーフィルムの双方は、不透明材料により形成されている。従って、遮光性や防湿性の向上を図ることができる一方で、取り出された錠剤と、ＰＴＰシートに収容されている錠剤とが一致しているか否かを確認することが難しい。
【００１２】
この点、上記手段１によれば、ＰＴＰシートには、錠剤の外観を示す写真や絵を有してなる錠剤表示部が印刷形成されている。従って、錠剤に関する知識等に乏しい者であっても、錠剤表示部に基づいて、取り出された錠剤と、ＰＴＰシートに収容されている錠剤とが一致しているか否かを容易に確認することができる。その結果、本来服用すべき錠剤と異なる錠剤を誤って服用してしまうなどの事態をより確実に防止することができる。
【００１３】
また、ＰＴＰシートに対して、本来収容されるべき錠剤とは異なる錠剤が誤って収容されている場合には、錠剤表示部に基づいて、誤った錠剤が収容されていることを認識することができる。その結果、誤った錠剤の服用を一層確実に防止することができる。
【００１４】
尚、「錠剤表示部」は、必ずしも錠剤の形状及び色を示すものでなくてもよく、錠剤の形状のみを示すものであってもよい。
【００１５】
手段２．前記錠剤表示部は、
前記錠剤をその表側から視認したときにおける前記錠剤の外観を示す写真、及び、絵のうちの少なくとも一方が印刷されてなる表側表示部と、
前記錠剤をその裏側から視認したときにおける前記錠剤の外観を示す写真、及び、絵のうちの少なくとも一方が印刷されてなる裏側表示部と
を備えることを特徴とする手段１に記載のＰＴＰシート
上記手段２によれば、錠剤表示部は、錠剤の表側を示す表側表示部と、錠剤の裏側を示す裏側表示部とを備えている。従って、取り出された錠剤と、ＰＴＰシートに収容されている錠剤とが一致しているか否かをより容易に、かつ、より正確に確認することができる。
【００１６】
手段３．前記錠剤表示部において示される前記錠剤の大きさが、前記ＰＴＰシートに収容される前記錠剤の大きさと同一とされることを特徴とする手段１又は２に記載のＰＴＰシート。
【００１７】
上記手段３によれば、錠剤表示部において示される錠剤の大きさが、ＰＴＰシートに収容される錠剤の大きさと同一とされている。従って、取り出された錠剤の確認を一層正確に行うことができる。
【００１８】
手段４．前記錠剤表示部において示される前記錠剤の色が、前記ＰＴＰシートに収容される前記錠剤の色と同一とされることを特徴とする手段１乃至３のいずれかに記載のＰＴＰシート。
【００１９】
上記手段４によれば、錠剤表示部において示される錠剤の色が、ＰＴＰシートに収容される錠剤の色と同一とされている。従って、取り出された錠剤の色と、錠剤表示部に表示された錠剤の色とを比較することで、取り出された錠剤に変質（色の変化）が生じているか否かを確認することができ、その結果、変質した錠剤の服用防止等を図ることができる。
【００２０】
手段５．前記錠剤表示部は、前記包装用フィルムに設けられることを特徴とする手段１乃至４のいずれかに記載のＰＴＰシート。
【００２１】
錠剤を取り出す際に、カバーフィルムは破られ、包装用フィルムから分離（破棄）されることとなる。そのため、カバーフィルム（特に、ポケット部を塞ぐ複数の部位のうちの一部のみ）に錠剤表示部を設けた場合には、ＰＴＰシート内に錠剤が存在するにも関わらず、ＰＴＰシートに錠剤表示部が存在しないといった事態が生じ得る。これに対して、包装用フィルムは、ＰＴＰシート内の錠剤が全て使用されるまで破棄されることなく利用されることが多い。
【００２２】
この点を考慮して、上記手段５によれば、錠剤表示部が包装用フィルムに設けられている。そのため、ＰＴＰシートに錠剤表示部が存在しないといった事態をより生じにくくすることができる。従って、取り出された錠剤の確認をより確実に行うことができる。
【００２３】
手段６．前記錠剤表示部は、前記ポケット部に対応して設けられていることを特徴とする手段１乃至５のいずれかに記載のＰＴＰシート。
【００２４】
錠剤表示部は、錠剤の外観を示す写真等であるため、錠剤表示部が単なるマークと誤認識されてしまい、錠剤表示部の機能が有効的に利用されないおそれがある。特に、錠剤表示部が、錠剤を示す絵である場合には、誤認識がより懸念される。
【００２５】
この点、上記手段６によれば、錠剤表示部は、錠剤が収容されるポケット部に対応して設けられている。従って、錠剤表示部が、ポケット部に収容された錠剤の外観を示すものであることを、錠剤を服用する者等に対して、より確実に認識させることができる。
【００２６】
また、一般に錠剤の取り出しは、ポケット部を押すことにより行われるため、錠剤を服用する者等は、錠剤を取り出す際に、ポケット部に着目しやすい。そのため、錠剤表示部をポケット部に設けておくことで、錠剤を服用する者等に、錠剤表示部の存在をより確実に認識させることができる。
【００２７】
手段７．前記錠剤表示部は、前記カバーフィルムのうち前記ポケット部を塞ぐ部位以外の部位に設けられることを特徴とする手段１乃至６のいずれかに記載のＰＴＰシート。
【００２８】
上記手段７によれば、錠剤表示部は、カバーフィルムのうちポケット部を塞ぐ部位以外の部位（つまり、錠剤を取り出す際に、破棄されやすい部位以外の部位）に設けられている。従って、ＰＴＰシートに錠剤表示部が存在しないといった事態を一層生じにくくすることができ、取り出された錠剤の確認をより確実に行うことができる。
【００２９】
手段８．所定のポケット部単位のシート小片に切離し可能とするミシン目を有し、
前記錠剤表示部は、前記ミシン目からオフセットした位置に、前記シート小片ごとに設けられることを特徴とする手段１乃至７のいずれかに記載のＰＴＰシート。
【００３０】
尚、「ミシン目」とは、ＰＴＰシートを貫通した切込みが断続的に並んでなる切離し線を意味する。
【００３１】
利便性を考慮して、ＰＴＰシートには、これをポケット部単位のシート小片に切離し可能とするミシン目が設けられることがある。しかしながら、ミシン目上に錠剤表示部が存在していると、ＰＴＰシートをシート小片に切離した場合、シート小片において錠剤表示部の一部しか確認することができず、ひいては取り出された錠剤と、ＰＴＰシート（シート小片）に収容されている錠剤とが一致しているか否かの確認に支障が生じてしまうおそれがある。
【００３２】
この点、上記手段８によれば、錠剤表示部は、ミシン目からオフセットした位置（ずれた位置）に設けられている。従って、ＰＴＰシートをシート小片に切離したとしても、シート小片において錠剤表示部の全体を確認することができる。その結果、取り出された錠剤と、シート小片に収容されている錠剤とが一致しているか否かをより一層確実に確認することができる。
【００３３】
手段９．不透明材料からなり、錠剤が収容されるポケット部を有する包装用フィルムと、
不透明材料からなり、前記ポケット部を塞ぐように前記包装用フィルムに取着されたカバーフィルムと、
前記カバーフィルムに設けられ、前記錠剤の外観を示す写真、及び、絵のうちの少なくとも一方が印刷されてなる錠剤表示部とを備えるＰＴＰシートの製造装置であって、
帯状の前記包装用フィルムに前記ポケット部を形成するポケット部形成手段と、
前記ポケット部に前記錠剤を投入する投入手段と、
前記ポケット部へと前記錠剤が投入された前記包装用フィルムに対し、前記ポケット部を塞ぐように前記カバーフィルムを取着する取着手段と、
前記包装用フィルムに対する前記カバーフィルムの取着前に、前記カバーフィルムに前記錠剤表示部を設ける印刷手段と
を具備することを特徴とするＰＴＰシートの製造装置。
【００３４】
上記手段９によれば、包装用フィルムへの取着前のカバーフィルムに対して、錠剤表示部が印刷形成されるように構成されている。従って、カバーフィルムに対して、錠剤表示部をより確実に、かつ、良好な印刷品質で印刷することができる。
【００３５】
手段１０．不透明材料からなり、錠剤が収容されるポケット部を有する包装用フィルムと、
不透明材料からなり、前記ポケット部を塞ぐように前記包装用フィルムに取着されたカバーフィルムと、
前記包装用フィルムに設けられ、前記錠剤の外観を示す写真、及び、絵のうちの少なくとも一方が印刷されてなる錠剤表示部とを備えるＰＴＰシートの製造装置であって、
帯状の前記包装用フィルムに前記ポケット部を形成するポケット部形成手段と、
前記ポケット部に前記錠剤を投入する投入手段と、
前記ポケット部へと前記錠剤が投入された前記包装用フィルムに対し、前記ポケット部を塞ぐように前記カバーフィルムを取着する取着手段と、
前記ポケット部形成手段による前記ポケット部の形成前に、前記包装用フィルムに前記錠剤表示部を設ける印刷手段と
を具備することを特徴とするＰＴＰシートの製造装置。
【００３６】
上記手段１０によれば、ポケット部形成前の包装用フィルムに対して錠剤表示部が印刷形成される。従って、ポケット部が印刷手段に干渉することに伴う、印刷不良の発生を防止することができる。
【００３７】
また、ポケット部形成後の包装用フィルムには多少のうねりが生じ得るため、ポケット部形成手段の下流に印刷手段を設けた場合には、包装用フィルムと印刷手段との間の距離が不安定となることが懸念されるが、上記手段１０によれば、このような懸念を払拭することができ、良好な印刷品質を実現することができる。
【００３８】
手段１１．不透明材料からなり、錠剤が収容されるポケット部を有する包装用フィルムと、
不透明材料からなり、前記ポケット部を塞ぐように前記包装用フィルムに取着されたカバーフィルムと、
前記包装用フィルムに設けられ、前記錠剤の外観を示す写真、及び、絵のうちの少なくとも一方が印刷されてなる錠剤表示部とを備えるＰＴＰシートの製造装置であって、
帯状の前記包装用フィルムに前記ポケット部を形成するポケット部形成手段と、
前記ポケット部に前記錠剤を投入する投入手段と、
前記ポケット部へと前記錠剤が投入された前記包装用フィルムに対し、前記ポケット部を塞ぐように前記カバーフィルムを取着する取着手段と、
前記カバーフィルムが取着された前記包装用フィルムを、ＰＴＰシート単位に打抜く打抜き手段と、
前記取着手段による前記カバーフィルムの取着後、前記打抜き手段による前記包装用フィルムの打抜き前に、前記包装用フィルムに前記錠剤表示部を設ける印刷手段と
を具備することを特徴とするＰＴＰシートの製造装置。
【００３９】
ポケット部の形成時やカバーフィルムの取着時において、錠剤表示部に損傷が生じ得る点を考慮して、上記手段１１によれば、ポケット部を形成し、カバーフィルムを取着した後に、包装用フィルムに対して錠剤表示部が印刷形成されるように構成されている。従って、錠剤表示部の損傷を防止することができ、良好な印刷品質を実現することができる。
【図面の簡単な説明】
【００４０】
【図１】（ａ）は、ＰＴＰシートを示す斜視図であり、（ｂ）は、ポケット部に収容された錠剤等を示す部分拡大断面図である。
【図２】（ａ）は、ＰＴＰシートの表面の構成を示す正面図であり、（ｂ）は、ＰＴＰシートの裏面の構成を示す背面図である。
【図３】ＰＴＰ包装機の構成を示す模式図である。
【発明を実施するための形態】
【００４１】
以下に、一実施形態について図面を参照しつつ説明する。
【００４２】
図１（ａ），（ｂ）に示すように、ＰＴＰシート１は、凹状をなす複数のポケット部２を備えた包装用フィルム３と、ポケット部２を塞ぐようにして包装用フィルム３に取着されたカバーフィルム４とを備えている。さらに、ポケット部２には、錠剤５が１つずつ収容されている。
【００４３】
さらに、包装用フィルム３には、例えば２つのポケット部２が含まれたペア小片７（シート小片に相当する）へと容易に切離すことができるように、シート横方向に沿って複数のミシン目６が形成されている。
【００４４】
また、本実施形態において、包装用フィルム３は、不透明材料（例えば、アルミニウムや、アルミニウムに樹脂被膜等がラミネートされ複層構造を有するもの等）により形成されており、不透明な外観を呈している。さらに、カバーフィルム４は、包装用フィルム３と同様に、不透明材料〔例えば、ＰＰ（ポリプロピレン）等よりなるシーラントが塗布されたアルミニウム箔等〕により形成されており、不透明な外観を呈している。そして、包装用フィルム３及びカバーフィルム４がそれぞれ不透明であることから、ポケット部２に収容された錠剤５は、外部から視認不能となっている。
【００４５】
また、本実施形態では、図２（ａ），（ｂ）に示すように、包装用フィルム３及びカバーフィルム４のうち外部から視認可能な位置に錠剤表示部１１が設けられている。錠剤表示部１１は、錠剤５の外観を示す写真（錠剤５の外観を示す絵であってもよい）が印刷されてなり、表側表示部１２と、裏側表示部１３とを備えている。
【００４６】
表側表示部１２は、錠剤５をその表側から視認したときにおける錠剤５の外観を示す写真が印刷されることで形成されている。また、表側表示部１２は、包装用フィルム３の各ポケット部２に対応してそれぞれ設けられており、結果として、前記ミシン目６からオフセット位置に配置されている。
【００４７】
加えて、表側表示部１２において示される錠剤の大きさは、錠剤５をその表側から視認したときにおける錠剤５の大きさ（より詳しくは、錠剤５の表側を前記視認方向に沿って前記視認方向と直交する平面に投影したときにおける、投影された錠剤５の大きさ）と同一とされている。さらに、表側表示部１２における錠剤の色は、錠剤５の表側の色と同一とされている。
【００４８】
裏側表示部１３は、錠剤５をその裏側から視認したときにおける錠剤５の外観を示す写真が印刷されることで形成されている。また、裏側表示部１３は、カバーフィルム４のうちポケット部２の開口を塞ぐ部位にそれぞれ設けられており、結果として、前記ミシン目６からオフセット位置に配置されている。
【００４９】
加えて、裏側表示部１３において示される錠剤の大きさは、錠剤５をその裏側から視認したときにおける錠剤５の大きさ（より詳しくは、錠剤５の裏側を前記視認方向に沿って前記視認方向と直交する平面に投影したときにおける、投影された錠剤５の大きさ）と同一とされている。さらに、裏側表示部１３における錠剤の色は、錠剤５の裏側の色と同一とされている。尚、表側表示部１２や裏側表示部１３における錠剤の大きさや色は、錠剤５の大きさや色と厳密に同一とする必要はなく、微々たる違いがあってもよい。
【００５０】
次に、図３に基づいて、上記ＰＴＰシート１を製造するためのＰＴＰシートの製造装置としてのＰＴＰ包装機２０の概略構成について説明する。
【００５１】
図３に示すように、ＰＴＰ包装機２０の最上流側には、帯状の包装用フィルム３がロール状に巻回されている。そして、ロール状に巻回された包装用フィルム３は、間欠的に搬送されるようになっており、包装用フィルム３の搬送経路に沿って、第１印刷手段２１が設けられている。第１印刷手段２１により、包装用フィルム３のうちポケット部２の形成予定位置に前記表側表示部１２が印刷形成される。尚、第１印刷手段２１は、例えば、凸版印刷機、フレキソ印刷機、オフセット印刷機、又は、インクジェット印刷機等により構成されている。
【００５２】
加えて、本実施形態では、表側表示部１２として印刷される、錠剤５をその表側から視認したときの錠剤５の形状や大きさ、色を示すデータが予め取得されており、当該データに基づいて、第１印刷手段２１の設定が行われる。また、包装用フィルム３に予め設けられたマーク（図示せず）を、所定のセンサー（図示せず）により検知することで、ポケット部２の形成予定位置が検出され、当該形成予定位置に対して表側表示部１２が印刷形成される。
【００５３】
包装用フィルム３の搬送経路に沿って、第１印刷手段２１の下流側には、ポケット部形成手段２２が設けられている。ポケット部形成手段２２は、下型２３及び上型２４を備えており、下型２３には、ポケット部２の形状に合わせた成形面を有する複数の凸部が形成されている。一方で、上型２４のうち前記凸部に対応した位置には、ポケット部２の形状に対応する成形面を有する複数の凹部が設けられている。ポケット部２を形成するにあたっては、包装用フィルム３を下型２３及び上型２４によって挟み込み、下型２３の凸部及び上型２４の凹部の形状に合わせて伸張させることで、包装用フィルム３に複数のポケット部２が形成される。尚、このポケット部２の形成は、間欠的に搬送される包装用フィルム３の搬送動作間のインターバルの際に行われる。
【００５４】
ポケット部２が形成された包装用フィルム３の搬送経路に沿って、ポケット部形成手段２２の下流側には、ポケット部２に錠剤５を自動的に投入する投入手段２５と、外観検査手段２６と、取着手段２７とが配設されている。
【００５５】
投入手段２５は、所定間隔毎にシャッタを開くことで錠剤５を落下させるものであり、このシャッタ開放動作に伴って各ポケット部２に錠剤５が投入される。
【００５６】
外観検査手段２６は、錠剤５が各ポケット部２に確実に充填されているか否か、また錠剤５の欠け、ひび等の外観異常の有無、異物混入の有無等の検査を行うものである。外観検査手段２６は、ポケット部２の開口側からの検査を行う。
【００５７】
取着手段２７は、フィルム受けローラ２８と加熱ローラ２９とを備えており、フィルム受けローラ２８に加熱ローラ２９が圧接可能に構成されている。そして、包装用フィルム３と、ロール状に巻回されたカバーフィルム４の引出し端とが、両ローラ２８，２９間に案内されており、包装用フィルム３及びカバーフィルム４が、両ローラ２８，２９間を加熱圧接状態で通過することにより、容器フィルム３にカバーフィルム４が貼着される。これにより、錠剤５が各ポケット部２に充填された帯状のＰＴＰフィルム８が得られる。
【００５８】
また、ロール状に巻回されたカバーフィルム４と取着手段２７との間には、第２印刷手段３０（例えば、凸版印刷機やフレキソ印刷機、オフセット印刷機、インクジェット印刷機等により構成される）が設けられており、当該第２印刷手段３０により、包装用フィルム３に対する貼着の直前に、カバーフィルム４に裏側表示部１３が印刷形成される。具体的には、カバーフィルム４のうち、前記ポケット部２を塞ぐ部位のそれぞれに裏側表示部１３が印刷形成される。
【００５９】
尚、本実施形態では、裏側表示部１３として印刷される、錠剤５をその裏側から視認したときの錠剤５の形状や大きさ、色を示すデータが予め取得されており、当該データに基づいて、第２印刷手段３０の設定が行われる。また、カバーフィルム４に予め設けられたマーク（図示せず）を、所定のセンサー（図示せず）により検知することで、カバーフィルム４のうちポケット部２を塞ぐ部位が検出され、当該部位に対して裏側表示部１３が印刷形成される。
【００６０】
さらに、取着手段２７の下流側には、ポケット部２側から錠剤５等の異常を検出するための外観検査手段３１（例えば、Ｘ線を利用した検査装置）が設けられている。尚、外観検査手段２６，３１によって不良品判定された場合、図示しない不良シート排出機構に不良品信号が送られ、その不良品判定となったＰＴＰシートは、不良シート排出機構によって別途排出され、図示しない不良品ホッパに移送される。
【００６１】
外観検査手段３１の下流ではＰＴＰフィルム８の搬送経路に沿って、ミシン目形成手段３２と、打抜き手段３３とがこの順序で配設されている。ミシン目形成手段３２は、ＰＴＰフィルム８の所定位置に前記ミシン目６を形成する機能を有する。打抜き手段３３は、ＰＴＰフィルム８をＰＴＰシート１単位に打抜く機能を有する。
【００６２】
さらに、打抜き手段３３の下流側には、打抜き手段３３から落下する端材９を貯留するためのスクラップ用ホッパ３４が設けられている。また、打抜き手段３３の下側には、打抜かれたＰＴＰシート１を移送するためのコンベア３５が設けられており、得られたＰＴＰシート１は完成品用ホッパ３６に移送されるようになっている。
【００６３】
以上詳述したように、本実施形態によれば、ＰＴＰシート１には、それに収容される錠剤５の外観を示す錠剤表示部１１が印刷形成されている。従って、錠剤に関する知識等に乏しい者であっても、錠剤表示部１１に基づいて、ＰＴＰシート１から取り出された錠剤と、ＰＴＰシート１に収容されている錠剤５とが一致しているか否かを容易に確認することができる。その結果、本来服用すべき錠剤と異なる錠剤を誤って服用してしまうなどの事態をより確実に防止することができる。
【００６４】
また、ＰＴＰシート１に対して、本来収容すべき錠剤５とは異なる錠剤が誤って収容されている場合には、錠剤表示部１１に基づいて、誤った錠剤が収容されていることを認識することができる。その結果、誤った錠剤の服用を一層確実に防止することができる。
【００６５】
さらに、錠剤表示部１１は、錠剤５の表側を示す表側表示部１２と、錠剤５の裏側を示す裏側表示部１３とを備えている。従って、取り出された錠剤と、ＰＴＰシート１に収容されている錠剤５とが一致しているか否かをより容易に、かつ、より正確に確認することができる。
【００６６】
加えて、錠剤表示部１１において示される錠剤の大きさが、ＰＴＰシート１に収容される錠剤５の大きさと同一とされている。従って、取り出された錠剤の確認を一層正確に行うことができる。
【００６７】
併せて、錠剤表示部１１において示される錠剤の色が、ＰＴＰシート１に収容される錠剤５の色と同一とされている。従って、取り出された錠剤５の色と、錠剤表示部１１に表示された錠剤の色とを比較することで、取り出された錠剤５に変質（色の変化）が生じているか否かを確認することができ、その結果、変質した錠剤の服用防止等を図ることができる。
【００６８】
また、錠剤表示部１１（表側表示部１２）は、錠剤５が収容されるポケット部２に対応して設けられている。従って、錠剤表示部１１が、ポケット部２に収容された錠剤５の外観を示すものであることを、錠剤を服用する者等に対して、より確実に認識させることができる。さらに、錠剤表示部１１をポケット部２に設けておくことで、錠剤を服用する者等に、錠剤表示部１１の存在をより確実に認識させることができる。
【００６９】
加えて、錠剤表示部１１（表側表示部１２及び裏側表示部１３の双方）は、ミシン目６からオフセットした位置（ずれた位置）に設けられている。従って、ＰＴＰシート１をペア小片７に切離したとしても、ペア小片７において錠剤表示部１１の全体を確認することができる。その結果、取り出された錠剤と、ペア小片７に収容されている錠剤５とが一致しているか否かをより一層確実に確認することができる。
【００７０】
さらに、ポケット部２形成前の包装用フィルム３に対して錠剤表示部１１（表側表示部１２）が印刷形成されるように構成されている。従って、ポケット部２が第１印刷手段２１に干渉することに伴う、印刷不良の発生を防止することができる。
【００７１】
また、ポケット部２形成後の包装用フィルム３には多少のうねりが生じ得るため、ポケット部形成手段２２の下流に第１印刷手段２１を設けた場合には、包装用フィルムと印刷手段との間の距離が不安定となることが懸念されるが、本実施形態によれば、このような懸念を払拭することができ、良好な印刷品質を実現することができる。
【００７２】
さらに、カバーフィルム４に錠剤表示部１１（裏側表示部１３）を印刷形成するにあたっては、包装用フィルム３への取着前のカバーフィルム４に対して、錠剤表示部１１（裏側表示部１３）が印刷形成される。従って、カバーフィルム４に対して、錠剤表示部１１をより確実に、かつ、良好な印刷品質で印刷することができる。
【００７３】
尚、上記実施形態の記載内容に限定されず、例えば次のように実施してもよい。勿論、以下において例示しない他の応用例、変更例も当然可能である。
【００７４】
（ａ）上記実施形態において、表側表示部１２は包装用フィルム３に設けられており、裏側表示部１３はカバーフィルム４に設けられているが、包装用フィルム３及びカバーフィルム４の一方に、表側表示部１２及び裏側表示部１３の双方を設けることとしてもよい。
【００７５】
（ｂ）上記実施形態において、錠剤表示部１１（裏側表示部１３）は、カバーフィルム４のうちポケット部２を塞ぐ部位に設けられているが、錠剤表示部１１を、カバーフィルム４のうちポケット部２を塞ぐ部位以外の部位に設けることとしてもよい。つまり、錠剤表示部１１を、錠剤５を取り出す際に、破棄されやすい部位以外の部位に設けることとしてもよい。この場合には、カバーフィルム４のうちポケット部２を塞ぐ部位の破棄に伴い、ＰＴＰシート１に錠剤表示部１１が存在しなくなってしまうといった事態をより生じにくくすることができる。その結果、取り出された錠剤の確認をより確実に行うことができる。
【００７６】
（ｃ）上記実施形態においては、表側表示部１２及び裏側表示部１３が設けられているが、表側表示部１２及び裏側表示部１３のうちの一方のみを設けることとしてもよい。
【００７７】
（ｄ）上記実施形態では、ポケット部２の形成前に、包装用フィルム３に錠剤表示部１１（表側表示部１２）が印刷形成されているが、ポケット部２の形成後に、包装用フィルム３に錠剤表示部１１を印刷形成することとしてもよい。従って、例えば、包装用フィルム３に対するカバーフィルム４の取着後、包装用フィルム３（ＰＴＰフィルム８）の打抜き前に、包装用フィルム３に錠剤表示部１１を印刷形成することとしてもよい。この場合には、ポケット部２の形成時やカバーフィルム４の取着時における錠剤表示部１１の損傷という事態が発生せず、良好な印刷品質を実現することができる。
【符号の説明】
【００７８】
１…ＰＴＰシート、２…ポケット部、３…包装用フィルム、４…カバーフィルム、５…錠剤、６…ミシン目、７…ペア小片（シート小片）、１１…錠剤表示部、１２…表側表示部、１３…裏側表示部、２０…ＰＴＰ包装機、２１…第１印刷手段、２２…ポケット部形成手段、２５…投入手段、２７…取着手段、３０…第２印刷手段、３３…打抜き手段。
【図１】
2013049453.tif 000003
【図２】
2013049453.tif 000004
【図３】
2013049453.tif 000005